(57)【特許請求の範囲】
【請求項１】
物体側から順に、負の屈折力を有する第１レンズ群と、正の屈折力を有する第２レンズ群と、負の屈折力を有する第３レンズ群と、正の屈折力を有する第４レンズ群とからなり、
広角端状態から望遠端状態へ変倍する際に、前記第１レンズ群と前記第２レンズ群との間隔が減少し、前記第２レンズ群と前記第３レンズ群との間隔が増大し、前記第３レンズ群と前記第４レンズ群との間隔が減少するズームレンズにおいて、
前記第１レンズ群は少なくとも１枚の負レンズを有し、前記負レンズのうちの少なくとも１枚の負レンズは、以下の３つの条件式を全て満足する硝材で構成され、
６７．０ ＜ ν
１．４０ ＜ Ｎ
０ ＜ Ｎ＋０．００３２×ν−１．７３４
ただし、
ν：前記硝材のｄ線（λ＝５８７．６ｎｍ）に対するアッベ数，
Ｎ：前記硝材のｄ線（λ＝５８７．６ｎｍ）に対する屈折率．
前記第４レンズ群は少なくとも１枚の正レンズを有し、前記正レンズのうちの少なくとも１枚は、以下の３つの条件式を全て満足する硝材で構成され、
６７．０ ＜ ν
１．４０ ＜ Ｎ
０ ＜ Ｎ＋０．００３２×ν−１．７３４
ただし、
ν：前記硝材のｄ線（λ＝５８７．６ｎｍ）に対するアッベ数，
Ｎ：前記硝材のｄ線（λ＝５８７．６ｎｍ）に対する屈折率．
以下の条件式を満足することを特徴とするズームレンズ。
０．７５ ＜ ｆ２／（ｆｗ×ｆｔ）１／２ ≦ １．２１
１．６９ ≦ （−ｆ１）／ｆｗ ＜ ２．３
ただし、
ｆ１：前記第１レンズ群の広角端状態における焦点距離，
ｆ２：前記第２レンズ群の焦点距離，
ｆｗ：広角端状態における前記ズームレンズ全系の焦点距離，
ｆｔ：望遠端状態における前記ズームレンズ全系の焦点距離．
【請求項２】
以下の条件式を満足することを特徴とする請求項１に記載のズームレンズ。
０．６ ＜ （−ｆ３）／ｆ２ ＜ １．２
０．８ ＜ ｆ４／（ｆｗ×ｆｔ）１／２ ＜ ２．０
ただし、
ｆ３：前記第３レンズ群の焦点距離，
ｆ４：前記第４レンズ群の焦点距離．
【請求項３】
前記第１レンズ群において像側に凹のレンズ面を有する負レンズのうちの少なくとも１枚は、前記レンズ面が光軸から離れるにしたがって負の屈折力が小さくなる非球面であることを特徴とする請求項１又は請求項２に記載のズームレンズ。
【請求項４】
前記３つの条件式を全て満足する硝材で構成されている前記第１レンズ群の前記負レンズは、両凹形状であることを特徴とする請求項１から請求項３のいずれか１項に記載のズームレンズ。
【請求項５】
前記第１レンズ群は、前記３つの条件式を全て満足する硝材で構成されている前記負レンズと、他のレンズを有し、前記負レンズは他のレンズに接合されていることを特徴とする請求項１から請求項４のいずれか１項に記載のズームレンズ。
【請求項６】
前記第１レンズ群は、広角端状態から望遠端状態へ変倍する際に、当該第１レンズ群を構成する各レンズの光軸上の間隔が各々固定であることを特徴とする請求項１から請求項５のいずれか１項に記載のズームレンズ。
【請求項７】
前記第１レンズ群は、物体側から順に、負の屈折力を有する第１部分レンズ群と負の屈折力を有する第２部分レンズ群とで構成され、
広角端状態から望遠端状態へ変倍する際に、前記第１部分レンズ群と前記第２部分レンズ群との間隔が変化することを特徴とする請求項１から請求項５のいずれか１項に記載のズームレンズ。
【発明の詳細な説明】
【技術分野】
【０００１】
本発明は、ズームレンズ、特に広角端状態における画角が７５°度以上で変倍比が３倍以上であって一眼レフカメラなどに好適なズームレンズに関する。
【背景技術】
【０００２】
従来、負の屈折力を有するレンズ群を物体側に備えたズームレンズ（いわゆるネガティブリード型のズームレンズ）は、広角化を図ることが比較的容易であるため、種々の提案がなされている。この反面、ネガティブリード型のズームレンズは、高変倍化と大口径化との両立を図ることが困難であることなどの欠点を有する。このため、斯かる欠点を改善した大口径のズームレンズが提案されている（例えば、特許文献１，２参照。）。
【特許文献１】特開２０００−２４１７０４号公報
【特許文献２】特開２０００−２２１３９９号公報
【発明の開示】
【発明が解決しようとする課題】
【０００３】
しかしながら、上記特許文献１，２に開示されているズームレンズは、いずれも広角端状態において大きな画角を確保することと、高変倍化を図ることとを両立したものではないという問題がある。
【０００４】
そこで本発明は上記問題点に鑑みてなされたものであり、大口径でかつ高性能でありながら、十分な変倍比を有する超広角のズームレンズを提供することを目的とする。
【課題を解決するための手段】
【０００５】
上記課題を解決するために本発明は、
物体側から順に、負の屈折力を有する第１レンズ群と、正の屈折力を有する第２レンズ群と、負の屈折力を有する第３レンズ群と、正の屈折力を有する第４レンズ群とからなり、
広角端状態から望遠端状態へ変倍する際に、前記第１レンズ群と前記第２レンズ群との間隔が減少し、前記第２レンズ群と前記第３レンズ群との間隔が増大し、前記第３レンズ群と前記第４レンズ群との間隔が減少するズームレンズにおいて、
前記第１レンズ群は少なくとも１枚の負レンズを有し、前記負レンズのうちの少なくとも１枚の負レンズは、以下の３つの条件式を全て満足する硝材で構成され、
６７．０ ＜ ν
１．４０ ＜ Ｎ
０ ＜ Ｎ＋０．００３２×ν−１．７３４
ただし、
ν：前記硝材のｄ線（λ＝５８７．６ｎｍ）に対するアッベ数，
Ｎ：前記硝材のｄ線（λ＝５８７．６ｎｍ）に対する屈折率．
前記第４レンズ群は少なくとも１枚の正レンズを有し、前記正レンズのうちの少なくとも１枚は、以下の３つの条件式を全て満足する硝材で構成され、
６７．０ ＜ ν
１．４０ ＜ Ｎ
０ ＜ Ｎ＋０．００３２×ν−１．７３４
ただし、
ν：前記硝材のｄ線（λ＝５８７．６ｎｍ）に対するアッベ数，
Ｎ：前記硝材のｄ線（λ＝５８７．６ｎｍ）に対する屈折率．
以下の条件式を満足することを特徴とするズームレンズを提供する。
０．７５ ＜ ｆ２／（ｆｗ×ｆｔ）１／２ ≦ １．２１
１．６９ ≦ （−ｆ１）／ｆｗ ＜ ２．３
ただし、
ｆ１：前記第１レンズ群の広角端状態における焦点距離，
ｆ２：前記第２レンズ群の焦点距離，
ｆｗ：広角端状態における前記ズームレンズ全系の焦点距離，
ｆｔ：望遠端状態における前記ズームレンズ全系の焦点距離．
【発明の効果】
【０００６】
本発明によれば、大口径でかつ高性能でありながら、十分な変倍比を有する超広角のズームレンズを提供することができる。
【発明を実施するための最良の形態】
【０００７】
本発明のズームレンズは、物体側から順に、負の屈折力を有する第１レンズ群と、正の屈折力を有する第２レンズ群と、負の屈折力を有する第３レンズ群と、正の屈折力を有する第４レンズ群とを有する。そして、広角端状態から望遠端状態へ変倍する際に、第１レンズ群と第２レンズ群との間隔が減少し、第２レンズ群と第３レンズ群との間隔が増大し、第３レンズ群と第４レンズ群との間隔が減少する。
そして本発明のズームレンズは、第１レンズ群における負レンズのうちの少なくとも１枚と、第４レンズ群における正レンズのうちの少なくとも１枚とは、以下の全ての条件式（１），（２），（３）を満足する硝材で構成されている。
（１）  ６７．０ ＜ ν
（２）  １．４０ ＜ Ｎ
（３）  ０ ＜ Ｎ＋０．００３２×ν−１．７３４
ただし、
ν：硝材のｄ線（λ＝５８７．６ｎｍ）に対するアッベ数，
Ｎ：硝材のｄ線（λ＝５８７．６ｎｍ）に対する屈折率．
【０００８】
本発明のズームレンズでは、第１レンズ群中の負レンズのうちの少なくとも１枚を上記条件式を満足する硝材で構成することによって、軸外光束中の下光線が前記負レンズの周辺部を通過するため、下光線の色コマ収差を良好に補正することができる。ここで、下光線とは像高を正としたときに主光線よりも下側の光線をいい、上光線とは像高を正としたときに主光線よりも上側の光線をいう。
上記条件式（１），（２），（３）は、第１レンズ群中の負レンズの少なくとも１枚を構成する硝材の屈折率およびアッベ数を適切に設定するための条件式である。
第１レンズ群中の負レンズの少なくとも１枚を構成する硝材が上記条件式のいずれかを満足しない場合、広角端状態における負の歪曲収差と倍率色収差とをバランス良く補正することが困難となってしまう。また、広角端状態において、下光線側に色コマ収差が発生することとなってしまう。
【０００９】
また、本発明のズームレンズでは、第４レンズ群中の正レンズのうちの少なくとも１枚を上記条件式を満足する硝材で構成することによって、軸外光束中の上光線が前記正レンズの周辺部を通過するため、上光線の色コマ収差を良好に補正することができる。
上記条件式（１），（２），（３）は、第４レンズ群中の正レンズの少なくとも１枚を構成する硝材の屈折率およびアッベ数を適切に設定するための条件式である。
第４レンズ群中の正レンズの少なくとも１枚を構成する硝材が上記条件式のいずれかを満足しない場合、望遠端状態における軸上色収差と諸収差とをバランス良く補正することが困難となってしまう。また、広角端状態において、上光線側に色コマ収差が発生することとなってしまう。
【００１０】
また、好ましくは、第１レンズ群中の負レンズの少なくとも１枚は、以下の全ての条件式（１ａ），（２），（３ａ）を満足する硝材で構成されていることが望ましい。
また、好ましくは、第４レンズ群中の正レンズの少なくとも１枚は、以下の全ての条件式（１ａ），（２），（３ａ）を満足する硝材で構成されていることが望ましい。
（１ａ）  ６７．０ ＜ ν ＜ １０４．０
（２）    １．４０ ＜ Ｎ
（３ａ）  ０ ＜ Ｎ＋０．０１２２×ν−２．５１８８
ただし、
ν：硝材のｄ線（λ＝５８７．６ｎｍ）に対するアッベ数，
Ｎ：硝材のｄ線（λ＝５８７．６ｎｍ）に対する屈折率．
【００１１】
また、本発明の好ましい態様によれば、本発明のズームレンズは、以下の条件式（４）を満足することが望ましい。
（４）  １．５ ＜ （−ｆ１）／ｆｗ ＜ ２．３
ただし、
ｆ１：第１レンズ群の広角端状態における焦点距離，
ｆｗ：広角端状態におけるズームレンズ全系の焦点距離，
また、本発明の好ましい態様によれば、本発明のズームレンズは、以下の条件式（５）を満足することが望ましい。
（５）  ０．７５ ＜ ｆ２／（ｆｗ×ｆｔ）１／２ ＜ １．６
ただし、
ｆ２：第２レンズ群の焦点距離，
ｆｗ：広角端状態におけるズームレンズ全系の焦点距離，
ｆｔ：望遠端状態におけるズームレンズ全系の焦点距離．
【００１２】
上記条件式（４）は、第１レンズ群の広角端状態における焦点距離を適切に設定するための条件式である。
条件式（４）の上限値を上回ると、第１レンズ群の広角端状態における焦点距離が長くなり過ぎて、前玉径（物体側に配置されているレンズの径）の小型化を図ることが困難となってしまう。
一方、条件式（４）の下限値を下回ると、第１レンズ群の広角端状態における焦点距離が短くなり過ぎて、広角端状態における歪曲収差、コマ収差、および像面湾曲を補正することが困難となる。このため、望遠端状態において、本発明のズームレンズの屈折力配置を、いわゆるテレフォトタイプとすることが困難となり、望遠端状態においてＦナンバーを確保することが困難となってしまう。
【００１３】
また、上記条件式（５）は、第２レンズ群の焦点距離を適切に設定するための条件式である。
条件式（５）の上限値を上回ると、第２レンズ群の焦点距離が長くなり過ぎて、ズーミングによる第２レンズ群の移動量が大きくなり過ぎることとなってしまうため好ましくない。また、望遠端状態における絞りの径が大きくなり過ぎて、鏡筒の径が増大してしまうため好ましくない。
一方、条件式（５）の下限値を下回ると、第２レンズ群の焦点距離が短くなり過ぎて、コマ収差や特に望遠端状態における球面収差を補正することが困難となってしまう。
【００１４】
また、本発明の好ましい態様によれば、本発明のズームレンズは、以下の条件式（６），（７）を満足することが望ましい。
（６）  ０．６ ＜ （−ｆ３）／ｆ２ ＜ １．２
（７）  ０．８ ＜ ｆ４／（ｆｗ×ｆｔ）１／２＜ ２．０
ただし、
ｆ３：第３レンズ群の焦点距離，
ｆ４：第４レンズ群の焦点距離．
【００１５】
上記条件式（６）は、第２レンズ群の焦点距離と第３レンズ群の焦点距離との比率を適切に設定し、本発明のズームレンズにおいてバックフォーカスの確保と高性能化を図ることとを両立するための条件式である。
条件式（６）の上限値を上回ると、第２レンズ群に比べて第３レンズ群の焦点距離が長くなり過ぎて、広角端状態においてバックフォーカスを確保することが困難になってしまう。
一方、条件式（６）の下限値を下回ると、第２レンズ群に比べて第３レンズ群の焦点距離が短くなり過ぎて、第３レンズ群において発生する球面収差、コマ収差、および非点収差が増大し、これらをバランス良く補正することが困難となってしまう。
【００１６】
上記条件式（７）は、第４レンズ群の焦点距離を適切に設定するための条件式である。
条件式（７）の上限値を上回ると、第４レンズ群の焦点距離が長くなり過ぎて、広角端状態においてバックフォーカスを確保することが困難になってしまい、また、十分な変倍比を確保することも困難になってしまう。
一方、条件式（７）の下限値を下回ると、第４レンズ群の焦点距離が短くなり過ぎて、ズーミングによる諸収差の変動が大きくなり、全ズーミング域に亘って収差を補正することが困難になってしまう。
【００１７】
また、本発明の好ましい態様によれば、本発明のズームレンズにおいて、第１レンズ群において像側に凹のレンズ面を有する負レンズのうちの少なくとも１枚は、前記レンズ面が光軸から離れるにしたがって負の屈折力が小さくなる非球面であることが望ましい。
本発明のズームレンズにおいて十分なバックフォーカスを確保しつつ前玉径の肥大化を防ぐためには、第１レンズ群の屈折力を大きくすることが効果的であるが、負の歪曲収差の発生を招くこととなってしまう。そこで本発明のズームレンズは、第１レンズ群における像側に凹のレンズ面を非球面とすることによって、該レンズ面の曲率を基準球面の曲率よりも小さくすることができる。また、このことによる球面収差や非点収差の発生が少ないため、収差の補正時に以降のレンズ系（前記非球面よりも像側に配置されている各レンズ）への負荷を軽減することができるため好ましい。
また、本発明の好ましい態様によれば、本発明のズームレンズにおいて、上記条件式（１），（２），（３）を全て満足する硝材で構成されている第１レンズ群中の負レンズは、両凹形状であることが望ましい。一般に、上記硝材は、軟らかい特性を有するので変形しやすいが、両凹形状であると変形を軽減できるため好ましい。
また、本発明の好ましい態様によれば、本発明のズームレンズにおいて、上記条件式（１），（２），（３）を全て満足する硝材で構成されている第１レンズ群中の負レンズは、他のレンズに接合されていることが望ましい。一般に、上記硝材は、軟らかい特性を有するので変形しやすいが、他のレンズに接合されていると変形を軽減できるため好ましい。
また、本発明の好ましい態様によれば、本発明のズームレンズにおいて、第１レンズ群は、広角端状態から望遠端状態へ変倍する際に、当該第１レンズ群を構成する各レンズの光軸上の間隔が各々固定であることが望ましい。このような構成では、機構を簡素化でき、かつ変倍時の収差変動が少ないので好ましい。
また、本発明の好ましい態様によれば、本発明のズームレンズにおいて、第１レンズ群は、物体側から順に、負の屈折力を有する第１部分レンズ群と負の屈折力を有する第２部分レンズ群とで構成され、広角端状態から望遠端状態へ変倍する際に、第１部分レンズ群と第２部分レンズ群との間隔が変化することが望ましい。このような構成では、変倍への影響が少なく、変倍時の収差変動を容易に補正することができるので好ましい。
【００１８】
以下、本発明の各実施例に係るズームレンズを添付図面に基づいて説明する。
なお、第２〜７、１０、１１実施例は本発明の実施例であり、第１、８、９実施例は本発明の参考例である。
（第１実施例）
図１は、本発明の第１実施例に係るズームレンズのレンズ構成を示す図であり、（ａ），（ｂ），（ｃ）はそれぞれ、広角端状態Ｗ，中間焦点距離状態Ｍ，望遠端状態Ｔを示している。
図１に示すように、本実施例に係るズームレンズは、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４とからなる。そして、本実施例に係るズームレンズは、広角端状態から望遠端状態へ変倍する際に、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が減少するように構成されている。
また、第２レンズ群Ｇ２と第３レンズ群Ｇ３との間には開口絞りＳが配置されており、この開口絞りＳは変倍の際に第３レンズ群Ｇ３とともに光軸に沿って移動するように構成されている。
尚、以上の構成は、本実施例以降の全ての実施例に共通する構成である。このため、各実施例においてはその記載を省略する。
【００１９】
本実施例に係るズームレンズでは、第１レンズ群Ｇ１における物体側から２枚目の負レンズＳＬ１と、第４レンズ群Ｇ４における物体側から１枚目の正レンズＳＬ２と３枚目の正レンズＳＬ３が、上記条件式（１），（２），（３）を満足する硝材（以下、本明細書において単に「特殊ガラス」という。）で構成されており、上記特殊ガラスで構成されている負レンズＳＬ１は、両凹形状であり、物体側から３枚目のレンズに接合されている。
また、第１レンズ群は、広角端状態から望遠端状態へ変倍する際に、当該第１レンズ群を構成する各レンズの光軸上の間隔が各々固定である。この構成は、以降の第２実施例〜第１０実施例において共通であるのでその記載を省略する。
また、本実施例に係るズームレンズにおいて、無限遠から近距離へのフォーカシングは、第２レンズ群Ｇ２における物体側から１枚目のレンズと、２枚目のレンズと３枚目のレンズとからなる接合レンズとが、一体的に光軸に沿って像側へ移動することによって行われる。
【００２０】
以下の表１に、本発明の第１実施例に係るズームレンズの諸元の値を掲げる。
（全体諸元）において、ｆは焦点距離、ＦＮＯはＦナンバー、２Ａは画角をそれぞれ示す。
（レンズデータ）において、面は物体側からのレンズ面の順序、ｒはレンズ面の曲率半径、ｄはレンズ面の間隔をそれぞれ示す。また、Ｎはｄ線（λ＝５８７．６ｎｍ）に対する屈折率、νはｄ線（λ＝５８７．６ｎｍ）に対するアッベ数をそれぞれ示す。
【００２１】
ここで、本実施例に係るズームレンズ中の非球面は、以下の非球面式で表される。尚、ｙは光軸からの高さ、ｘはサグ量、ｃは基準球面の曲率（近軸曲率）、κは円錐定数、Ｃ４，Ｃ６，Ｃ８，Ｃ１０，Ｃ１２は各々４，６，８，１０，１２次の非球面係数とする。
ｘ＝ｃｙ２／｛１＋（１−κｃ２ｙ２）１／２｝
＋Ｃ４ｙ４＋Ｃ６ｙ６＋Ｃ８ｙ８＋Ｃ１０ｙ１０＋Ｃ１２ｙ１２
【００２２】
以上のように表される非球面は、（レンズデータ）において面番号に＊印を付して曲率半径ｒの欄に近軸曲率半径を掲載し、（非球面データ）においてκおよび各非球面係数を掲載している。尚、（非球面データ）において、「E-n」は「×１０−ｎ」を示す。例えば、「1.234E-05」は「1.234×10−５」を示す。
また、（各レンズブロックの倍率）において、βは物体と像間の結像倍率を示す。また、1-POSは広角端状態で無限遠合焦時、2-POSは中間焦点距離状態で無限遠合焦時、3-POSは望遠端状態で無限遠合焦時をそれぞれ示し、4-POSは広角端状態でβ＝-0.02500での合焦時、5-POSは中間焦点距離状態でβ＝-0.02500での合焦時、6-POSは望遠端状態でβ＝-0.02500での合焦時をそれぞれ示し、7-POSは広角端状態で近距離合焦時、8-POSは中間焦点距離状態で近距離合焦時、9-POSは望遠端状態で近距離合焦時をそれぞれ示す。また、B(m-n)は、面番号ｍのレンズ面と面番号ｎのレンズ面との間に位置する全てのレンズからなるレンズブロックを示す。
【００２３】
ここで、以下の各実施例の全ての諸元値において掲載されている焦点距離、曲率半径、その他長さの単位は一般に「ｍｍ」が使われる。しかし光学系は、比例拡大または比例縮小しても同等の光学性能が得られるため、単位は「ｍｍ」に限られるものではない。
尚、以下の全実施例の諸元値においても、本実施例と同様の符号を用いる。
【００２４】
［表１］
（全体諸元）
広角端状態  中間焦点距離状態  望遠端状態
ｆ    ＝   16.5   〜     30.67      〜   49.5
２Ａ  ＝   86.8   〜     51.1       〜   33.1
ＦＮＯ＝    2.89
（レンズデータ）
面      ｒ        ｄ       Ｎ       ν
1)    76.2729   2.5000  1.744429   49.52
* 2)    23.2876  22.7082
3)   -64.3264   1.3000  1.592400   68.33  ＳＬ１
4)    94.5578   2.9406  1.805180   25.43
5)  2047.8525   D5(可変)
* 6)   212.8974   3.1597  1.677900   55.34
7)  -110.2891   0.1000
8)   122.3160   1.0000  1.846660   23.78
9)    34.9545   5.0514  1.618000   63.38
10)  -171.3120   0.9881
*11)    50.7936   5.3000  1.739929   49.25
12)  -290.3704   D12(可変)
13>  開口絞りＳ  1.2000
14)   185.3843   3.7000  1.846660   23.78
15)   -28.5773   1.0000  1.804000   46.58
16)   110.0860   1.9000
17)   -41.1906   1.0000  1.804000   46.58
18)    84.5433   D18(可変)
19)  -115.2418   5.0000  1.569070   71.31  ＳＬ２
20)   -34.7029   0.1000
21) -1329.5201   4.0000  1.618000   63.38
22)   -42.2832   0.1000
23)    48.4541   5.3788  1.497820   82.52  ＳＬ３
24)   -32.1426   1.0000  1.846660   23.78
25)  -732.5906
（非球面データ）
面    κ       C4           C6           C8           C10
2  0.0000  4.05250E-06  6.11040E-10  8.18800E-12 -1.46560E-14
C12
0.11470E-16
面    κ       C4           C6           C8           C10
6  1.0000 -2.09280E-06  1.24370E-09  1.65820E-12  0.00000E+00
面    κ       C4           C6           C8           C10
11  1.0000  1.82870E-06 -7.99320E-10  5.20040E-13 -1.71450E-15
（可変間隔データ）
広角端状態  中間焦点距離状態  望遠端状態
D5    43.77360       14.31030        2.37600
D12    1.35000       14.04720       25.98790
D18   18.19420       11.45430        3.46290
（各レンズブロックの倍率）
1-POS    2-POS    3-POS    4-POS    5-POS    6-POS
β                                  -0.02500 -0.02500 -0.02500
B(1-5)    0.00000  0.00000  0.00000  0.04712  0.02509  0.01550
B(6-10)  -4.23522  6.58245  3.23525 -4.21836  6.59060  3.24195
B(11-12)  0.13138 -0.15738 -0.49191  0.13131 -0.15745 -0.49197
B(13-18) -4.41877 -2.81762 -1.70363 -4.41638 -2.81665 -1.70331
B(19-25) -0.21883 -0.34259 -0.59534 -0.21893 -0.34269 -0.59544
7-POS    8-POS    9-POS
β       -0.062   -0.1100  -0.180
B(1-5)    0.11999  0.11168  0.11218
B(6-10)  -4.20477  6.58519  3.27364
B(11-12)  0.13094 -0.15875 -0.49523
B(13-18) -4.40373 -2.79858 -1.68681
B(19-25) -0.21949 -0.34464 -0.60085
【００２５】
図２（ａ），（ｂ），（ｃ）はそれぞれ、本発明の第１実施例に係るズームレンズの広角端状態，中間焦点距離状態，望遠端状態における無限遠合焦時の諸収差図を示す。
【００２６】
各収差図において、ＦＮＯはＦナンバー、Ａは半画角をそれぞれ示す。また、非点収差図および歪曲収差図においては半画角Ａの最大値を示す。また、ｄ，ｇはそれぞれ、ｄ線（λ＝５８７．６ｎｍ），ｇ線（λ＝４３５．８ｎｍ）の収差曲線を示している。
球面収差図において、ＦＮＯは最大口径に対応するＦナンバーの値を示す。
非点収差図において、実線はサジタル像面、点線はメリディオナル像面をそれぞれ示す。
コマ収差図は、各半画角におけるコマ収差をそれぞれ表している。
尚、以下に示す各実施例の諸収差図において、本実施例と同様の符号を用いる。
【００２７】
各諸収差図より本実施例に係るズームレンズは、広角端状態、中間焦点距離状態、および望遠端状態の各状態において、諸収差を良好に補正し、優れた結像性能を有することがわかる。
【００２８】
（第２実施例）
図３は、本発明の第２実施例に係るズームレンズのレンズ構成を示す図である。尚、本図および以下に示す各実施例のレンズ構成を示す図は、広角端状態Ｗを示している。
本実施例に係るズームレンズでは、第１レンズ群Ｇ１における物体側から３枚目の負レンズＳＬ１と、第４レンズ群Ｇ４における物体側から２枚目の正レンズＳＬ２と３枚目の正レンズＳＬ３が、特殊ガラスで構成されており、上記特殊ガラスで構成されている負レンズＳＬ１は、両凹形状である。
また、本実施例に係るズームレンズにおいて、無限遠から近距離へのフォーカシングは、第２レンズ群Ｇ２における物体側から１枚目のレンズと、２枚目のレンズと３枚目のレンズとからなる接合レンズとが、一体的に光軸に沿って像側へ移動することによって行われる。
以下の表２に、本実施例に係るズームレンズの諸元の値を掲げる。
【００２９】
［表２］
（全体諸元）
広角端状態  中間焦点距離状態  望遠端状態
ｆ    ＝   17.55  〜     30.81      〜   53.4
２Ａ  ＝   83.38  〜     51.18      〜   30.96
ＦＮＯ＝    2.89
（レンズデータ）
面      ｒ        ｄ       Ｎ       ν
1)    43.0102   2.0000  1.620410   60.29
2)    21.3899  11.2854
3)    59.7338   2.0000  1.744429   49.55
* 4)    32.3245   8.1026
5)   -65.6686   1.3000  1.569070   71.31  ＳＬ１
6)    96.9021   0.2000
7)    69.0297   3.3904  1.805180   25.43
8)   426.3566   D8(可変)
* 9)    92.4945   3.4356  1.677900   55.34
10)  -186.1620   0.1000
11) -1876.6557   1.0000  1.805180   25.43
12)    38.6412   6.0000  1.640000   59.69
13)   -79.2843   1.0018
*14)    49.2354   5.9545  1.637055   58.25
15)  -123.3871   D15(可変)
16>  開口絞りＳ  1.2000
17)   121.9585   3.6731  1.846660   23.78
18)   -31.0894   1.0000  1.804000   46.58
19)    35.1118   3.2174
20)   -26.8809   1.0000  1.804000   46.58
21)   -65.7049   D21(可変)
22)  -197.0467   4.6157  1.618000   63.38
23)   -32.6618   0.1000
24)   173.9124   2.3568  1.497820   82.52  ＳＬ２
25)  -118.9824   0.1000
26)    89.9876   5.0362  1.497820   82.52  ＳＬ３
27)   -27.9105   1.0000  1.846660   23.78
28)   -77.7117
（非球面データ）
面    κ       C4           C6           C8           C10
4  0.0000 -2.80900E-06 -7.05870E-09  1.85210E-11 -7.69200E-14
C12
0.54670E-16
面    κ       C4           C6           C8           C10
9  1.0000 -3.21370E-06  3.94540E-09 -7.52750E-13  0.00000E+00
面    κ       C4           C6           C8           C10
14  1.0000  1.20020E-06 -2.72780E-09  2.23320E-12 -3.44650E-15
（可変間隔データ）
広角端状態  中間焦点距離状態  望遠端状態
D8    43.73070       16.11230        1.75000
D15    1.35000       12.50760       25.54550
D21   18.86450       14.53890        5.68120
（各レンズブロックの倍率）
1-POS    2-POS    3-POS    4-POS    5-POS    6-POS
β                                  -0.02500 -0.02500 -0.02500
B(1-8)    0.00000  0.00000  0.00000  0.04455  0.02510  0.01444
B(9-13)  -3.50130  9.83804  3.30002 -3.48253  9.84378  3.30667
B(14-15)  0.15216 -0.09599 -0.47835  0.15210 -0.09605 -0.47840
B(16-21) -4.93806 -3.44613 -1.79102 -4.93546 -3.44484 -1.79070
B(22-28) -0.21648 -0.30726 -0.61284 -0.21658 -0.30736 -0.61294
7-POS    8-POS    9-POS
β       -0.066   -0.111   -0.195
B(1-8)    0.12046  0.11279  0.11330
B(9-13)  -3.46019  9.78411  3.34074
B(14-15)  0.15174 -0.09720 -0.48185
B(16-21) -4.91969 -3.42048 -1.77110
B(22-28) -0.21720 -0.30930 -0.61916
【００３０】
図４（ａ），（ｂ），（ｃ）はそれぞれ、本発明の第２実施例に係るズームレンズの広角端状態，中間焦点距離状態，望遠端状態における無限遠合焦時の諸収差図を示す。
各諸収差図より本実施例に係るズームレンズは、広角端状態、中間焦点距離状態、および望遠端状態の各状態において、諸収差を良好に補正し、優れた結像性能を有することがわかる。
【００３１】
（第３実施例）
図５は、本発明の第３実施例に係るズームレンズのレンズ構成を示す図である。
本実施例に係るズームレンズでは、第１レンズ群Ｇ１における物体側から３枚目の負レンズＳＬ１と、第４レンズ群Ｇ４における物体側から１枚目の正レンズＳＬ２と３枚目の正レンズＳＬ３が、特殊ガラスで構成されており、上記特殊ガラスで構成されている負レンズＳＬ１は、両凹形状であり物体側から４枚目のレンズに接合されている。
また、本実施例に係るズームレンズにおいて、無限遠から近距離へのフォーカシングは、第２レンズ群Ｇ２における物体側から１枚目のレンズと２枚目のレンズとからなる接合レンズと、３枚目のレンズと４枚目のレンズとからなる接合レンズとが、一体的に光軸に沿って像側へ移動することによって行われる。
以下の表３に、本実施例に係るズームレンズの諸元の値を掲げる。
【００３２】
［表３］
（全体諸元）
広角端状態  中間焦点距離状態  望遠端状態
ｆ    ＝   17.55  〜     29.61      〜   53.4
２Ａ  ＝   83.36  〜     53.34      〜   31.1
ＦＮＯ＝    2.89
（レンズデータ）
面      ｒ        ｄ       Ｎ       ν
1)    41.7490   2.0000  1.799520   42.24
2)    22.5226  14.4873
3)    74.2071   2.0000  1.796681   45.37
* 4)    38.7933   8.0658
5)   -92.4063   1.3000  1.569070   71.31  ＳＬ１
6)    58.4359   3.7360  1.846660   23.78
7)   289.3259   D7(可変)
8)   180.6275   4.2583  1.696800   55.52
9)   -50.6496   1.0000  1.846660   23.78
10)   -80.4575   0.1000
11)    41.9083   1.0000  1.846660   23.78
12)    25.4611   6.0000  1.487490   70.24
13)   157.3587   1.0024
*14)    43.2622   5.7575  1.713000   53.85
15)  -259.6633   D15(可変)
16>  開口絞りＳ  1.2000
17)   128.9726   4.3615  1.846660   23.78
18)   -24.3308   1.0000  1.804000   46.58
19)    49.4407   2.5995
20)   -31.3713   1.0000  1.804000   46.58
21)   115.9859   D21(可変)
22)   368.8076   5.0000  1.497820   82.52  ＳＬ２
23)   -28.1873   0.1000
24)   159.2657   2.7000  1.618000   63.38
25)  -123.3241   0.1000
26)    65.0663   5.7301  1.497820   82.52  ＳＬ３
27)   -28.1289   1.0000  1.846660   23.78
28)  -106.6177
（非球面データ）
面    κ       C4           C6           C8           C10
4  0.0000 -3.19380E-06 -4.94320E-09  7.51060E-13 -1.32410E-14
C12
-0.44693E-17
面    κ       C4           C6           C8           C10
14  1.0000  1.00000E-08  3.75250E-10  1.08920E-12  0.00000E+00
（可変間隔データ）
広角端状態  中間焦点距離状態  望遠端状態
D7    39.33590       16.23690        1.75000
D15    1.35000       10.85920       22.23130
D21   17.07340       12.51060        5.52610
（各レンズブロックの倍率）
1-POS    2-POS    3-POS    4-POS    5-POS    6-POS
β                                  -0.02500 -0.02500 -0.02500
B(1-7)    0.00000  0.00000  0.00000  0.04277  0.02511  0.01387
B(8-13)  -3.80389 12.59026  3.40003 -3.78623 12.59237  3.40648
B(14-15)  0.14366 -0.07072 -0.43257  0.14360 -0.07077 -0.43262
B(16-21) -2.78220 -2.33000 -1.35946 -2.78119 -2.32934 -1.35927
B(22-28) -0.38982 -0.48203 -0.90196 -0.38994 -0.48215 -0.90208
7-POS    8-POS    9-POS
β       -0.066   -0.107   -0.197
B(1-7)    0.11503  0.10862  0.10999
B(8-13)  -3.76723 12.47409  3.43905
B(14-15)  0.14323 -0.07178 -0.43562
B(16-21) -2.77512 -2.31783 -1.34763
B(22-28) -0.39065 -0.48422 -0.90944
【００３３】
図６（ａ），（ｂ），（ｃ）はそれぞれ、本発明の第３実施例に係るズームレンズの広角端状態，中間焦点距離状態，望遠端状態における無限遠合焦時の諸収差図を示す。
各諸収差図より本実施例に係るズームレンズは、広角端状態、中間焦点距離状態、および望遠端状態の各状態において、諸収差を良好に補正し、優れた結像性能を有することがわかる。
【００３４】
（第４実施例）
図７は、本発明の第４実施例に係るズームレンズのレンズ構成を示す図である。
本実施例に係るズームレンズでは、第１レンズ群Ｇ１における物体側から３枚目の負レンズＳＬ１と、第４レンズ群Ｇ４における物体側から１枚目の正レンズＳＬ２と３枚目の正レンズＳＬ３が、特殊ガラスで構成されており、上記特殊ガラスで構成されている負レンズＳＬ１は、両凹形状であり物体側から４枚目のレンズに接合されている。
また、本実施例に係るズームレンズにおいて、無限遠から近距離へのフォーカシングは、第２レンズ群Ｇ２における物体側から１枚目のレンズと２枚目のレンズとからなる接合レンズと、３枚目のレンズと４枚目のレンズとからなる接合レンズとが、一体的に光軸に沿って像側へ移動することによって行われる。
以下の表４に、本実施例に係るズームレンズの諸元の値を掲げる。
【００３５】
［表４］
（全体諸元）
広角端状態  中間焦点距離状態  望遠端状態
ｆ    ＝   17.55  〜     30.79      〜   53.4
２Ａ  ＝   83.34  〜     51.24      〜   30.98
ＦＮＯ＝    2.89
（レンズデータ）
面      ｒ        ｄ       Ｎ       ν
1)    40.9179   2.0000  1.806100   40.94
2)    21.9529  14.9387
3)    85.5860   2.0000  1.796681   45.37
* 4)    41.8649   6.6331
5)   -88.8627   1.3000  1.569070   71.31  ＳＬ１
6)    79.4414   3.4131  1.846660   23.78
7)  4482.0238   D7(可変)
8)   265.6240   4.1124  1.696800   55.52
9)   -53.0226   1.0000  1.805180   25.43
10)   -85.4782   0.1000
11)    48.4579   1.0000  1.846660   23.78
12)    28.3332   6.0000  1.487490   70.24
13)   609.7882   1.0047
14)    44.0030   5.8155  1.696800   55.52
15)  -207.9680   D15(可変)
16>  開口絞りＳ  1.2000
17)   132.9964   4.2981  1.846660   23.78
18)   -24.6683   1.0000  1.804000   46.58
19)    52.5868   2.6051
20)   -31.0252   1.0000  1.804000   46.58
21)   108.4429   D21(可変)
22)  1202.2229   5.0000  1.497820   82.52  ＳＬ２
23)   -26.9875   0.1000
24)   152.4677   2.7000  1.618000   63.38
25)  -129.6517   0.1000
26)    54.2036   6.0000  1.497820   82.52  ＳＬ３
27)   -30.0273   1.0000  1.846660   23.78
28)  -162.9006
（非球面データ）
面    κ       C4           C6           C8           C10
4  0.0000 -4.05780E-06 -3.17270E-09 -1.99470E-11  5.77110E-14
C12
-0.94474E-16
（可変間隔データ）
広角端状態  中間焦点距離状態  望遠端状態
D7    40.95880       15.53650        1.75000
D15    1.35000       12.25530       23.90170
D21   17.41550       13.09280        6.05810
（各レンズブロックの倍率）
1-POS    2-POS    3-POS    4-POS    5-POS    6-POS
β                                  -0.02500 -0.02500 -0.02500
B(1-7)    0.00000  0.00000  0.00000  0.04449  0.02510  0.01443
B(8-13)  -3.82942 10.11327  3.40001 -3.81121 10.11878  3.40667
B(14-15)  0.13758 -0.08740 -0.41103  0.13752 -0.08746 -0.41108
B(16-21) -2.61985 -2.38465 -1.57100 -2.61895 -2.38397 -1.57075
B(22-28) -0.41289 -0.47443 -0.78981 -0.41301 -0.47455 -0.78993
7-POS    8-POS    9-POS
β       -0.066   -0.111   -0.195
B(1-7)    0.12027  0.11285  0.11327
B(8-13)  -3.79169 10.05288  3.44006
B(14-15)  0.13714 -0.08853 -0.41394
B(16-21) -2.61348 -2.37106 -1.55587
B(22-28) -0.41373 -0.47678 -0.79712
【００３６】
図８（ａ），（ｂ），（ｃ）はそれぞれ、本発明の第４実施例に係るズームレンズの広角端状態，中間焦点距離状態，望遠端状態における無限遠合焦時の諸収差図を示す。
各諸収差図より本実施例に係るズームレンズは、広角端状態、中間焦点距離状態、および望遠端状態の各状態において、諸収差を良好に補正し、優れた結像性能を有することがわかる。
【００３７】
（第５実施例）
図９は、本発明の第５実施例に係るズームレンズのレンズ構成を示す図である。
本実施例に係るズームレンズでは、第１レンズ群Ｇ１における物体側から２枚目の負レンズＳＬ１と、第４レンズ群Ｇ４における物体側から１枚目の正レンズＳＬ２と３枚目の正レンズＳＬ３が、特殊ガラスで構成されおり、上記特殊ガラスで構成されている負レンズＳＬ１は、両凹形状であり物体側から３枚目のレンズに接合されている。
また、本実施例に係るズームレンズにおいて、無限遠から近距離へのフォーカシングは、第２レンズ群Ｇ２における物体側から１枚目のレンズと、２枚目のレンズと３枚目のレンズとからなる接合レンズとが、一体的に光軸に沿って像側へ移動することによって行われる。
以下の表５に、本実施例に係るズームレンズの諸元の値を掲げる。
【００３８】
［表５］
（全体諸元）
広角端状態  中間焦点距離状態  望遠端状態
ｆ    ＝   17.55  〜     31.43      〜   52.7
２Ａ  ＝   83.30  〜     50.04      〜   31.16
ＦＮＯ＝    2.89
（レンズデータ）
面      ｒ        ｄ       Ｎ       ν
1)    68.8329   2.5000  1.744429   49.55
* 2)    23.7109  22.4287
3)   -58.4517   1.3000  1.518601   69.98  ＳＬ１
4)    70.0469   2.9936  1.805180   25.43
5)   243.9094   D5(可変)
* 6)   140.0441   3.4072  1.677900   55.34
7)  -118.9794   0.1000
8)   124.6930   1.0000  1.846660   23.78
9)    34.2030   5.1696  1.618000   63.38
10)  -189.4107   4.8624
*11)    53.9597   5.3000  1.739929   49.25
12)  -211.8800   D12(可変)
13>  開口絞りＳ  1.2000
14)   172.5088   4.0000  1.846660   23.78
15)   -28.2347   1.0000  1.804000   46.58
16)    89.6343   1.9000
17)   -39.5906   1.0000  1.804000   46.58
18)    99.5109   D18(可変)
19)  -134.6632   2.9801  1.497820   82.52  ＳＬ２
20)   -28.2015   0.1000
21)   217.9857   4.0048  1.618000   63.38
22)   -73.2014   0.1000
23)    52.8039   5.0164  1.497820   82.52  ＳＬ３
24)   -32.8433   1.0000  1.846660   23.78
25)  -316.9872
（非球面データ）
面    κ       C4           C6           C8           C10
2  0.0000  4.40610E-06 -5.89290E-11  1.12530E-11 -1.85420E-14
C12
0.13297E-16
面    κ       C4           C6           C8           C10
6  1.0000 -1.92900E-06  2.71180E-10  2.50890E-12  0.00000E+00
面    κ       C4           C6           C8           C10
11  1.0000  1.56610E-06 -1.53820E-10 -4.17120E-13 -6.25410E-16
（可変間隔データ）
広角端状態  中間焦点距離状態  望遠端状態
D5    42.31750       14.64730        1.75000
D12    1.35000       13.25580       26.88160
D18   19.82980       14.04550        5.77250
（各レンズブロックの倍率）
1-POS    2-POS    3-POS    4-POS    5-POS    6-POS
β                                  -0.02500 -0.02500 -0.02500
B(1-5)    0.00000  0.00000  0.00000  0.04541  0.02509  0.01492
B(6-10)  -3.85705  8.28143  3.35704 -3.83872  8.28878  3.36388
B(11-12)  0.14552 -0.12187 -0.47878  0.14545 -0.12194 -0.47884
B(13-18) -4.46382 -2.94501 -1.77544 -4.46147 -2.94398 -1.77511
B(19-25) -0.22289 -0.33643 -0.58761 -0.22299 -0.33654 -0.58772
7-POS    8-POS    9-POS
β       -0.065   -0.112   -0.191
B(1-5)    0.12144  0.11379  0.11446
B(6-10)  -3.81947  8.25780  3.39767
B(11-12)  0.14506 -0.12322 -0.48232
B(13-18) -4.44756 -2.92411 -1.75562
B(19-25) -0.22361 -0.33856 -0.59379
【００３９】
図１０（ａ），（ｂ），（ｃ）はそれぞれ、本発明の第５実施例に係るズームレンズの広角端状態，中間焦点距離状態，望遠端状態における無限遠合焦時の諸収差図を示す。
各諸収差図より本実施例に係るズームレンズは、広角端状態、中間焦点距離状態、および望遠端状態の各状態において、諸収差を良好に補正し、優れた結像性能を有することがわかる。
【００４０】
（第６実施例）
図１１は、本発明の第６実施例に係るズームレンズのレンズ構成を示す図である。
本実施例に係るズームレンズでは、第１レンズ群Ｇ１における物体側から２枚目の負レンズＳＬ１と、第４レンズ群Ｇ４における物体側から１枚目の正レンズＳＬ２と２枚目の正レンズＳＬ３が、特殊ガラスで構成されており、上記特殊ガラスで構成されている負レンズＳＬ１は、両凹形状であり物体側から３枚目のレンズに接合されている。
また、本実施例に係るズームレンズにおいて、無限遠から近距離へのフォーカシングは、第２レンズ群Ｇ２における物体側から１枚目のレンズと、２枚目のレンズと３枚目のレンズとからなる接合レンズとが、一体的に光軸に沿って像側へ移動することによって行われる。
以下の表６に、本実施例に係るズームレンズの諸元の値を掲げる。
【００４１】
［表６］
（全体諸元）
広角端状態  中間焦点距離状態  望遠端状態
ｆ    ＝   17.55  〜     33.28      〜   52.70
２Ａ  ＝   83.28  〜     47.68      〜   31.22
ＦＮＯ＝    2.89
（レンズデータ）
面      ｒ        ｄ       Ｎ       ν
1)    77.9118   2.5000  1.744429   49.55
* 2)    23.9592  22.1602
3)   -70.9994   1.3000  1.497820   82.52  ＳＬ１
4)    70.5855   4.0000  1.805180   25.43
5)   237.2767   D5(可変)
* 6)   120.3497   5.0000  1.677900   55.34
7)   -95.2433   0.1000
8)    75.8194   1.0000  1.846660   23.78
9)    28.7700   5.3700  1.618000   63.38
10)   219.8396   5.3096
*11)    49.5255   5.2968  1.744429   49.55
12)  -452.9605   D12(可変)
13>  開口絞りＳ  1.2000
14)   271.7867   3.9927  1.846660   23.78
15)   -24.9597   1.0000  1.804000   46.58
16)   121.7054   1.9000
17)   -34.9526   1.0000  1.804000   46.58
18)    90.3510   D18(可変)
19)  -334.0058   5.0000  1.569070   71.31  ＳＬ２
20)   -29.0821   0.1000
21)   105.5941   3.3136  1.569070   71.31  ＳＬ３
22)   -70.6726   0.1000
23)    53.5984   4.8476  1.487490   70.24
24)   -33.5783   1.0000  1.846660   23.78
25)   910.5357
（非球面データ）
面    κ       C4           C6           C8           C10
2  0.0000  4.14260E-06 -6.81570E-10  1.45320E-11 -2.66210E-14
C12
0.19986E-16
面    κ       C4           C6           C8           C10
6  1.0000 -1.80810E-06  6.19130E-10  1.37760E-12  0.00000E+00
面    κ       C4           C6           C8           C10
11  1.0000  1.89370E-06 -1.46580E-10  6.81130E-13 -1.80850E-15
（可変間隔データ）
広角端状態  中間焦点距離状態  望遠端状態
D5    42.29410       13.06960        1.75000
D12    1.35000       15.18390       26.05090
D18   15.70330        9.66630        3.42910
（各レンズブロックの倍率）
1-POS    2-POS    3-POS    4-POS    5-POS    6-POS
β                                  -0.02500 -0.02500 -0.02500
B(1-5)    0.00000  0.00000  0.00000  0.04810  0.02508  0.01580
B(6-10)  -3.97099  7.28027  3.47100 -3.95130  7.28886  3.47837
B(11-12)  0.14288 -0.14234 -0.43910  0.14280 -0.14240 -0.43915
B(13-18) -2.58318 -2.00212 -1.36104 -2.58219 -2.00157 -1.36083
B(19-25) -0.35980 -0.48200 -0.76335 -0.35991 -0.48211 -0.76346
7-POS    8-POS    9-POS
β       -0.065   -0.119   -0.191
B(1-5)    0.12828  0.12023  0.12138
B(6-10)  -3.93153  7.27265  3.51392
B(11-12)  0.14237 -0.14389 -0.44258
B(13-18) -2.57638 -1.98963 -1.34811
B(19-25) -0.36059 -0.48462 -0.77018
【００４２】
図１２（ａ），（ｂ），（ｃ）はそれぞれ、本発明の第６実施例に係るズームレンズの広角端状態，中間焦点距離状態，望遠端状態における無限遠合焦時の諸収差図を示す。
各諸収差図より本実施例に係るズームレンズは、広角端状態、中間焦点距離状態、および望遠端状態の各状態において、諸収差を良好に補正し、優れた結像性能を有することがわかる。
【００４３】
（第７実施例）
図１３は、本発明の第７実施例に係るズームレンズのレンズ構成を示す図である。
本実施例に係るズームレンズでは、第１レンズ群Ｇ１における物体側から２枚目の負レンズＳＬ１と、第４レンズ群Ｇ４における物体側から３枚目の正レンズＳＬ２が、特殊ガラスで構成されており、上記特殊ガラスで構成されている負レンズＳＬ１は、両凹形状であり物体側から３枚目のレンズに接合されている。
また、本実施例に係るズームレンズにおいて、無限遠から近距離へのフォーカシングは、第２レンズ群Ｇ２における物体側から１枚目のレンズと、２枚目のレンズと３枚目のレンズとからなる接合レンズとが、一体的に光軸に沿って像側へ移動することによって行われる。
以下の表７に、本実施例に係るズームレンズの諸元の値を掲げる。
【００４４】
［表７］
（全体諸元）
広角端状態  中間焦点距離状態  望遠端状態
ｆ    ＝   17.55  〜     33.69      〜   52.7
２Ａ  ＝   83.28  〜     47.06      〜   31.18
ＦＮＯ＝    2.89
（レンズデータ）
面      ｒ        ｄ       Ｎ       ν
1)    75.2416   2.5000  1.744429   49.52
* 2)    24.4203  22.9869
3)   -73.2333   1.3000  1.497820   82.52  ＳＬ１
4)    67.4284   3.8020  1.805180   25.43
5)   191.7932   D5(可変)
* 6)   124.3238   5.0000  1.677900   55.34
7)   -96.4073   0.1000
8)    73.8388   1.0000  1.846660   23.78
9)    28.7333   5.2894  1.618000   63.38
10)   214.2545   1.0047
*11)    50.1522   5.3179  1.744429   49.52
12)  -423.1456   D12(可変)
13>  開口絞りＳ  1.2000
14)   386.2371   3.9848  1.846660   23.78
15)   -24.4665   1.0000  1.804000   46.58
16)   135.0147   1.9000
17)   -33.8942   1.0000  1.804000   46.58
18)   102.3985   D18(可変)
19)  -295.8454   5.0000  1.618000   63.38
20)   -29.5940   0.1000
21)   251.4924   3.0000  1.618000   63.38
22)   -69.5799   0.1000
23)    48.1915   5.0395  1.497820   82.52  ＳＬ２
24)   -33.1614   1.0000  1.846660   23.78
25)  1010.0399
（非球面データ）
面    κ       C4           C6           C8           C10
2  0.0000  4.05150E-06  1.80730E-10  8.75620E-12 -1.35570E-14
C12
0.97404E-17
面    κ       C4           C6           C8           C10
6  1.0000 -1.73030E-06  6.55440E-10  9.44940E-13  0.00000E+00
面    κ       C4           C6           C8           C10
11  1.0000  1.84010E-06 -2.16860E-10  1.05490E-12 -2.04800E-15
（可変間隔データ）
広角端状態  中間焦点距離状態  望遠端状態
D5    42.29670       12.65500        1.75000
D12    1.35000       15.88280       26.97720
D18   14.97470        9.12920        2.99450
（各レンズブロックの倍率）
1-POS    2-POS    3-POS    4-POS    5-POS    6-POS
β                                  -0.02500 -0.02500 -0.02500
B(1-5)    0.00000  0.00000  0.00000  0.04869  0.02507  0.01599
B(6-10)  -3.98332  7.02463  3.48327 -3.96324  7.03353  3.49079
B(11-12)  0.14271 -0.14931 -0.43696  0.14264 -0.14938 -0.43702
B(13-18) -2.49542 -1.97558  1.39242 -2.49447 -1.97503 -1.39219
B(19-25) -0.36723 -0.48260 -0.73812 -0.36735 -0.48272 -0.73824
7-POS    8-POS    9-POS
β       -0.065   -0.120   -0.190
B(1-5)    0.12923  0.12124  0.12231
B(6-10)  -3.94326  7.02137  3.52682
B(11-12)  0.14220 -0.15092 -0.44048
B(13-18) -2.48896 -1.96289 -1.37870
B(19-25) -0.36803 -0.48530 -0.74498
【００４５】
図１４（ａ），（ｂ），（ｃ）はそれぞれ、本発明の第７実施例に係るズームレンズの広角端状態，中間焦点距離状態，望遠端状態における無限遠合焦時の諸収差図を示す。
各諸収差図より本実施例に係るズームレンズは、広角端状態、中間焦点距離状態、および望遠端状態の各状態において、諸収差を良好に補正し、優れた結像性能を有することがわかる。
【００４６】
（第８実施例）
図１５は、本発明の第８実施例に係るズームレンズのレンズ構成を示す図である。
本実施例に係るズームレンズでは、第１レンズ群Ｇ１における物体側から１枚目の負レンズＳＬ１と、第４レンズ群Ｇ４における物体側から２枚目の正レンズＳＬ２と３枚目の正レンズＳＬ３が、特殊ガラスで構成されている。
また、本実施例に係るズームレンズにおいて、無限遠から近距離へのフォーカシングは、第２レンズ群Ｇ２における物体側から１枚目のレンズと、２枚目のレンズと３枚目のレンズとからなる接合レンズとが、一体的に光軸に沿って像側へ移動することによって行われる。
以下の表８に、本実施例に係るズームレンズの諸元の値を掲げる。
【００４７】
［表８］
（全体諸元）
広角端状態  中間焦点距離状態  望遠端状態
ｆ    ＝   17.55  〜     33.80      〜   53.4
２Ａ  ＝   83.36  〜     46.86      〜   30.78
ＦＮＯ＝    2.89
（レンズデータ）
面      ｒ        ｄ       Ｎ       ν
1)    88.4857   2.0000  1.569070   71.31  ＳＬ１
2)    23.1237  12.5909
3)  1676.3197   2.0000  1.796681   45.37
* 4)    37.3077   5.6615
5)    79.7028   3.3257  1.805180   25.43
6)  1620.6953   D6(可変)
* 7)   134.8418   5.0000  1.677900   55.34
8)  -102.4648   0.1000
9)   125.7885   1.0000  1.805180   25.43
10)    33.4567   7.0000  1.618000   63.38
11) -2913.5812   5.5422
*12)    53.4429   6.0000  1.589130   61.18
13)  -123.9664   D13(可変)
14>  開口絞りＳ  1.2000
15)   152.1655   4.0000  1.846660   23.78
16)   -31.2559   1.0000  1.804000   46.58
17)   104.9708   1.8127
18)   -39.8203   1.0000  1.804000   46.58
19)    91.7813   D19(可変)
20)  -530.1722   4.9750  1.618000   63.38
21)   -31.9506   1.7123
22)   193.3336   3.0000  1.518601   69.98  ＳＬ２
23)   -83.1397   0.1000  1.000000
24)    58.3456   5.0292  1.518601   69.98  ＳＬ３
25)   -31.3537   1.0000  1.846660   23.78
26)  -447.5858
（非球面データ）
面    κ       C4           C6           C8           C10
4  0.0000 -5.36480E-06 -1.71290E-09  4.22100E-12 -2.13050E-14
C12
0.16581E-16
面    κ       C4           C6           C8           C10
7  1.0000 -2.14990E-06  2.70180E-09 -1.00150E-12  0.00000E+00
面    κ       C4           C6           C8           C10
12  1.0000  1.65360E-06 -2.67510E-09  2.47720E-12 -3.01900E-15
（可変間隔データ）
広角端状態  中間焦点距離状態  望遠端状態
D6    44.20260       13.46390        1.75000
D13    1.35000       19.48370       33.77710
D19   18.02270       11.52620        2.63440
（各レンズブロックの倍率）
1-POS    2-POS    3-POS    4-POS    5-POS    6-POS
β                                  -0.02500 -0.02500 -0.02500
B(1-6)    0.00000  0.00000  0.00000  0.04882  0.02507  0.01584
B(7-11)  -4.30819  6.45890  3.30819 -4.28973  6.46779  3.31537
B(12-13)  0.13576 -0.16783 -0.48561  0.13568 -0.16790 -0.48567
B(14-19) -3.17928 -2.82367 -1.87713 -3.17785 -2.82263 -1.87673
B(20-26) -0.27919 -0.32670 -0.52381 -0.27930 -0.32680 -0.52392
7-POS    8-POS    9-POS
β       -0.067   -0.123   -0.196
B(1-6)    0.13309  0.12456  0.12490
B(7-11)  -4.27360  6.46338  3.35220
B(12-13)  0.13521 -0.16954 -0.48946
B(14-19) -3.16900 -2.79827 -1.85197
B(20-26) -0.27996 -0.32931 -0.53049
【００４８】
図１６（ａ），（ｂ），（ｃ）はそれぞれ、本発明の第８実施例に係るズームレンズの広角端状態，中間焦点距離状態，望遠端状態における無限遠合焦時の諸収差図を示す。
各諸収差図より本実施例に係るズームレンズは、広角端状態、中間焦点距離状態、および望遠端状態の各状態において、諸収差を良好に補正し、優れた結像性能を有することがわかる。
【００４９】
（第９実施例）
図１７は、本発明の第９実施例に係るズームレンズのレンズ構成を示す図である。
本実施例に係るズームレンズでは、第１レンズ群Ｇ１における物体側から２枚目の負レンズＳＬ１と、第４レンズ群Ｇ４における物体側から１枚目の正レンズＳＬ２と３枚目の正レンズＳＬ３が、特殊ガラスで構成されており、上記特殊ガラスで構成されている負レンズＳＬ１は、両凹形状であり物体側から３枚目のレンズに接合されている。
また、本実施例に係るズームレンズにおいて、無限遠から近距離へのフォーカシングは、第１レンズ群Ｇ１における物体側から２枚目のレンズと３枚目のレンズとからなる接合レンズが、一体的に光軸に沿って像側へ移動することによって行われる。
以下の表９に、本実施例に係るズームレンズの諸元の値を掲げる。
【００５０】
［表９］
（全体諸元）
広角端状態  中間焦点距離状態  望遠端状態
ｆ    ＝   17.55  〜     33.28      〜   53.4
２Ａ  ＝   83.28  〜     47.46      〜   30.76
ＦＮＯ＝    2.89
（レンズデータ）
面      ｒ        ｄ       Ｎ       ν
1)    70.0050   2.5000  1.796681   45.37
* 2)    23.6632  22.6015
3)   -53.0877   1.3000  1.569070   71.31  ＳＬ１
4)   147.3487   3.1049  1.805180   25.43
5)  -247.1033   D5(可変)
* 6)   101.4149   4.3103  1.677900   55.34
7)  -109.1898   0.1000
8)   140.9023   1.0000  1.846660   23.78
9)    35.0192   6.0000  1.618000   63.38
10)     0.0000   1.0000
11)    46.8922   4.7772  1.804000   46.58
12)  1488.0121   D12(可変)
13>  開口絞りＳ  1.4911
14)  1187.0445   4.0000  1.846660   23.78
15)   -24.5906   1.0000  1.804000   46.58
16)   193.7074   1.7281
17)   -35.6829   2.0000  1.804000   46.58
18)   101.5499   D18(可変)
19)  -183.6244   5.0000  1.497820   82.52  ＳＬ２
20)   -27.0329   0.1000
21)   164.3441   3.9943  1.618000   63.38
22)   -88.5316   0.1000
23)    50.7138   5.3451  1.497820   82.52  ＳＬ３
24)   -33.3941   1.0000  1.846660   23.78
25)  -315.0653
（非球面データ）
面    κ       C4           C6           C8           C10
2  0.0000  4.38410E-06 -1.46960E-09  1.74830E-11 -3.14280E-14
C12
0.22738E-16
面    κ       C4           C6           C8           C10
6  1.0000 -1.05100E-08 -4.11860E-10  1.21380E-12  0.00000E+00
（可変間隔データ）
広角端状態  中間焦点距離状態  望遠端状態
D5    42.50360       13.07170        1.75760
D12    3.37700       17.29450       29.77550
D18   16.52710       10.37550        3.17040
（各レンズブロックの倍率）
1-POS    2-POS    3-POS    4-POS    5-POS    6-POS
β                                  -0.02500 -0.02500 -0.02500
B(1-2)    0.00000  0.00000  0.00000  0.06429  0.03421  0.02139
B(3-5)    0.72388  0.72388  0.72388  0.74365  0.73414  0.73023
B(6-12)  -0.57030 -1.06260 -1.59034 -0.57042 -1.06272 -1.59044
B(13-18) -2.92876 -2.13575 -1.46409 -2.92752 -2.13512 -1.46383
B(19-25) -0.31577 -0.44064 -0.68922 -0.31588 -0.44075 -0.68933
7-POS    8-POS    9-POS
β       -0.069   -0.123   -0.199
B(1-2)    0.17179  0.16130  0.16270
B(3-5)    0.78256  0.77835  0.77890
B(6-12)  -0.57126 -1.06552 -1.59700
B(13-18) -2.91913 -2.12028 -1.44754
B(19-25) -0.31664 -0.44337 -0.69641
【００５１】
図１８（ａ），（ｂ），（ｃ）はそれぞれ、本発明の第９実施例に係るズームレンズの広角端状態，中間焦点距離状態，望遠端状態における無限遠合焦時の諸収差図を示す。
各諸収差図より本実施例に係るズームレンズは、広角端状態、中間焦点距離状態、および望遠端状態の各状態において、諸収差を良好に補正し、優れた結像性能を有することがわかる。
【００５２】
（第１０実施例）
図１９は、本発明の第１０実施例に係るズームレンズのレンズ構成を示す図である。
本実施例に係るズームレンズでは、第１レンズ群Ｇ１における物体側から２枚目の負レンズＳＬ１と、第４レンズ群Ｇ４における物体側から１枚目の正レンズＳＬ２と３枚目の正レンズＳＬ３が、特殊ガラスで構成されており、上記特殊ガラスで構成されている負レンズＳＬ１は、両凹形状であり物体側から３枚目のレンズに接合されている。
また、本実施例に係るズームレンズにおいて、無限遠から近距離へのフォーカシングは、第２レンズ群Ｇ２における物体側から１枚目のレンズと、２枚目のレンズと３枚目のレンズとからなる接合レンズとが、一体的に光軸に沿って像側へ移動することによって行われる。
以下の表１０に、本実施例に係るズームレンズの諸元の値を掲げる。
【００５３】
［表１０］
（全体諸元）
広角端状態  中間焦点距離状態  望遠端状態
ｆ    ＝   17.50  〜     31.433     〜   53.4
２Ａ  ＝   83.44  〜     49.96      〜   30.78
ＦＮＯ＝    2.88
（レンズデータ）
面      ｒ        ｄ       Ｎ       ν
1)    61.1778   2.5000  1.796681   45.37
* 2)    23.8595  22.2571
3)   -53.4452   1.3000  1.497820   82.52  ＳＬ１
4)    74.5711   2.8345  1.805180   25.43
5)   251.1650   D5(可変)
* 6)   144.7881   3.2432  1.669100   55.39
7)  -101.9877   0.1000
8)   115.7173   1.0000  1.846660   23.78
9)    33.8371   5.6799  1.618000   63.38
10)  -316.7089   1.0036
*11)    54.0448   4.9363  1.744429   49.52
12)  -201.4533   D12(可変)
13>  開口絞りＳ  1.2000 
14)   195.2821   3.6562  1.846660   23.78
15)   -28.8371   1.0000  1.804000   46.58
16)    92.5612   1.9195
17)   -39.0662   1.0000  1.804000   46.58
18)   115.0637   D18(可変)
19)   -89.5048   3.2808  1.497820   82.52  ＳＬ２
20)   -27.7764   0.1000
21)   335.0242   2.6731  1.618000   63.38
22)   -64.1525   0.1077
23)    49.9637   6.1661  1.497820   82.52  ＳＬ３
24)   -32.4974   1.0000  1.846660   23.78
25)  -283.4287
（非球面データ）
面    κ       C4           C6           C8           C10
2  0.0000  4.59450E-06  6.67330E-10  7.66470E-12 -9.79900E-15
C12
0.59536E-17
面    κ       C4           C6           C8           C10
6  1.0000 -1.84030E-06 -3.89750E-12  2.85600E-12  0.00000E+00
面    κ       C4           C6           C8           C10
11  1.0000  1.39700E-06 -3.54520E-11 -6.71070E-13 -4.17940E-16
（可変間隔データ）
広角端状態  中間焦点距離状態  望遠端状態
D5    42.84360       14.89650        1.75000
D12    1.35000       13.32930       27.30380
D18   19.73850       14.04300        5.54860
（各レンズブロックの倍率）
1-POS    2-POS    3-POS    4-POS    5-POS    6-POS
β                                  -0.02500 -0.02500 -0.02500
B(1-5)    0.00000  0.00000  0.00000  0.04513  0.02496  0.01468
B(6-10)  -4.15384  7.21257  3.15345 -4.13339  7.22343  3.16041
B(11-12)  0.13506 -0.14079 -0.52025  0.13506 -0.14079 -0.52025
B(13-18) -4.57979 -2.96156 -1.73145 -4.57979 -2.96157 -1.73145
B(19-25) -0.21668 -0.33252 -0.59806 -0.21668 -0.33252 -0.59806
7-POS    8-POS    9-POS
β       -0.065   -0.112   -0.194
B(1-5)    0.11855  0.11125  0.11209
B(6-10)  -4.10010  7.26096  3.20652
B(11-12)  0.13506 -0.14079 -0.52025
B(13-18) -4.57979 -2.96156 -1.73145
B(19-25) -0.21668 -0.33252 -0.59806
【００５４】
図２０（ａ），（ｂ），（ｃ）はそれぞれ、本発明の第１０実施例に係るズームレンズの広角端状態，中間焦点距離状態，望遠端状態における無限遠合焦時の諸収差図を示す。
各諸収差図より本実施例に係るズームレンズは、広角端状態、中間焦点距離状態、および望遠端状態の各状態において、諸収差を良好に補正し、優れた結像性能を有することがわかる。
【００５５】
（第１１実施例）
図２１は、本発明の第１１実施例に係るズームレンズのレンズ構成を示す図である。
本実施例に係るズームレンズでは、第１レンズ群Ｇ１における物体側から２枚目の負レンズＳＬ１と、第４レンズ群Ｇ４における物体側から１枚目の正レンズＳＬ２と３枚目の正レンズＳＬ３が、特殊ガラスで構成されており、上記特殊ガラスで構成されている負レンズＳＬ１は、両凹形状であり物体側から３枚目のレンズに接合されている。
また、本実施例に係るズームレンズにおいて、第１レンズ群Ｇ１は、物体側から順に、負の屈折力を有する第１部分レンズ群と負の屈折力を有する第２部分レンズ群とで構成されており、広角端状態から望遠端状態へ変倍する際に、第１部分レンズ群と第２部分レンズ群との間隔が変化する。
また、本実施例に係るズームレンズにおいて、無限遠から近距離へのフォーカシングは、第２レンズ群Ｇ２における物体側から１枚目のレンズと、２枚目のレンズと３枚目のレンズとからなる接合レンズとが、一体的に光軸に沿って像側へ移動することによって行われる。
以下の表１１に、本実施例に係るズームレンズの諸元の値を掲げる。
【００５６】
［表１１］
（全体諸元）
広角端状態  中間焦点距離状態  望遠端状態
ｆ    ＝   17.55  〜     31.40     〜   53.40
２Ａ  ＝   83.28  〜     50.18      〜  30.78
ＦＮＯ＝    2.89
（レンズデータ）
面      ｒ        ｄ        Ｎ        ν
1)    67.6513   2.5000   1.743200    49.32
* 2)    23.6527   D2（可変）
3)   -49.9444   1.3000   1.569070    71.31  ＳＬ１
4)   113.1596   2.9289   1.805180    25.43
5)  -830.9597   D5（可変）
* 6)   104.5105   3.7346  1.677900     55.34
7)  -114.5393   0.1000
8)   189.2979   1.0000  1.846660     23.78
9)    35.3862   5.0695  1.618000     63.38
10)  -176.5596   4.9882
*11)    56.6910   5.0020  1.785900     44.20
12)  -234.1086   D12（可変）
13>  開口絞りＳ  1.2000
14)   172.3609   3.7322  1.846660     23.78
15)   -28.5367   1.0000  1.804000     46.58
16)    86.6859   1.9000
17)   -39.2371   1.0000  1.804000     46.58
18)   112.6098   D18（可変）
19)  -133.1178   3.3252  1.497820     82.52  ＳＬ２
20)   -28.5516   0.1567
21)   211.5776   2.3737  1.618000     63.38
22)   -75.1409   0.1000
23)    51.6235   4.8972  1.497820     82.52  ＳＬ３
24)   -34.3849   1.0000  1.846660     23.78
25)  -427.3116
（非球面データ）
面    κ       C4           C6           C8           C10
2  0.0000  4.28380E-06 -7.56490E-10  1.15870E-11 -1.77280E-14
C12
0.95593E-17
面    κ       C4           C6           C8           C10
6  1.0000 -1.89010E-06 -8.18450E-10  3.98740E-12  0.00000E+00
面    κ       C4           C6           C8           C10
11  1.0000  1.23850E-06  5.67630E-10 -1.08830E-12 -7.59160E-16
（可変間隔データ）
広角端状態  中間焦点距離状態  望遠端状態
D2    25.08120       23.14950       20.08280
D5    39.35450       13.13730        1.75000
D12    1.35000       12.95820       27.64810
D18   20.54690       14.98470        6.93990
（各レンズブロックの倍率）
1-POS    2-POS    3-POS    4-POS    5-POS    6-POS
β                                  -0.02500 -0.02500 -0.02500
B(1-2)    0.00000  0.00000  0.00000  0.07047  0.03947  0.02328
B(3-5)    0.61981  0.62603  0.63616  0.63128  0.63253  0.64011
B(6-10)  -4.25028  7.42456  3.25023 -4.23109  7.43551  3.25743
B(11-12)  0.13561 -0.13949 -0.50784  0.13561 -0.13949 -0.50784
B(13-18) -4.26776 -2.70169 -1.73070 -4.26776 -2.70169 -1.73070
B(19-25) -0.22953 -0.35739 -0.58593 -0.22953 -0.35739 -0.58593
7-POS    8-POS    9-POS
β       -0.06515 -0.11155 -0.19221
B(1-2)    0.17978  0.16922  0.16956
B(3-5)    0.64994  0.65489  0.66605
B(6-10)  -4.19750  7.47317  3.30474
B(11-12)  0.13561 -0.13949 -0.50784
B(13-18) -4.26776 -2.70169 -1.73070
B(19-25) -0.22953 -0.35739 -0.58593
【００５７】
図２２（ａ），（ｂ），（ｃ）はそれぞれ、本発明の第１１実施例に係るズームレンズの広角端状態，中間焦点距離状態，望遠端状態における無限遠合焦時の諸収差図を示す。
各諸収差図より本実施例に係るズームレンズは、広角端状態、中間焦点距離状態、および望遠端状態の各状態において、諸収差を良好に補正し、優れた結像性能を有することがわかる。
【００５８】
ここで、本発明の各実施例に係るズームレンズの条件式対応値を以下の表１２に掲げる。表１２において、EX.1，EX.2，EX.3，・・・はそれぞれ第１実施例，第２実施例，第３実施例，・・・を示す。また、SL1は各実施例における第１レンズ群Ｇ１中の負レンズＳＬ１を構成する特殊ガラスを示し、SL2，SL3はそれぞれ各実施例における第４レンズ群Ｇ４中の正レンズＳＬ２，ＳＬ３を構成する特殊ガラスを示している。
【００５９】
［表１２］
（条件式対応値）
EX.1   EX.2   EX.3   EX.4   EX.5
条件式（３）SL1   0.077  0.063  0.063  0.063  0.009
条件式（３）SL2   0.063  0.028  0.028  0.028  0.028
条件式（３）SL3   0.028  0.028  0.028  0.028  0.028
条件式（４）      1.86   1.76   1.69   1.75   1.79
条件式（５）      1.24   1.10   1.18   1.16   1.15
条件式（６）      0.94   0.92   0.69   0.70   0.93
条件式（７）      1.27   1.22   1.05   1.06   1.20
EX.6   EX.7   EX.8   EX.9   EX.10   EX.11
条件式（３）SL1   0.028  0.028  0.063  0.063  0.028   0.063
条件式（３）SL2   0.063  0.028  0.009  0.028  0.028   0.028
条件式（３）SL3   0.063         0.009  0.028  0.028   0.028
条件式（４）      1.90   1.92   1.93   1.93   1.80    1.771
条件式（５）      1.20   1.21   1.28   1.28   1.15    1.145
条件式（６）      0.81   0.81   0.88   0.88   0.94    0.94
条件式（７）      1.09   1.08   1.92   1.17   1.20    1.20
【００６０】
以上、本発明の各実施例によれば、広角端状態における画角が７５度以上、かつ変倍比が３倍以上で口径比が２．９程度の高性能なズームレンズを実現することができる。
【図面の簡単な説明】
【００６１】
【図１】本発明の第１実施例に係るズームレンズのレンズ構成を示す図である。
【図２】（ａ），（ｂ），（ｃ）はそれぞれ、本発明の第１実施例に係るズームレンズの広角端状態，中間焦点距離状態，望遠端状態における無限遠合焦時の諸収差図を示す図である。
【図３】本発明の第２実施例に係るズームレンズのレンズ構成を示す図である。
【図４】（ａ），（ｂ），（ｃ）はそれぞれ、本発明の第２実施例に係るズームレンズの広角端状態，中間焦点距離状態，望遠端状態における無限遠合焦時の諸収差図を示す図である。
【図５】本発明の第３実施例に係るズームレンズのレンズ構成を示す図である。
【図６】（ａ），（ｂ），（ｃ）はそれぞれ、本発明の第３実施例に係るズームレンズの広角端状態，中間焦点距離状態，望遠端状態における無限遠合焦時の諸収差図を示す図である。
【図７】本発明の第４実施例に係るズームレンズのレンズ構成を示す図である。
【図８】（ａ），（ｂ），（ｃ）はそれぞれ、本発明の第４実施例に係るズームレンズの広角端状態，中間焦点距離状態，望遠端状態における無限遠合焦時の諸収差図を示す図である。
【図９】本発明の第５実施例に係るズームレンズのレンズ構成を示す図である。
【図１０】（ａ），（ｂ），（ｃ）はそれぞれ、本発明の第５実施例に係るズームレンズの広角端状態，中間焦点距離状態，望遠端状態における無限遠合焦時の諸収差図を示す図である。
【図１１】本発明の第６実施例に係るズームレンズのレンズ構成を示す図である。
【図１２】（ａ），（ｂ），（ｃ）はそれぞれ、本発明の第６実施例に係るズームレンズの広角端状態，中間焦点距離状態，望遠端状態における無限遠合焦時の諸収差図を示す図である。
【図１３】本発明の第７実施例に係るズームレンズのレンズ構成を示す図である。
【図１４】（ａ），（ｂ），（ｃ）はそれぞれ、本発明の第７実施例に係るズームレンズの広角端状態，中間焦点距離状態，望遠端状態における無限遠合焦時の諸収差図を示す図である。
【図１５】本発明の第８実施例に係るズームレンズのレンズ構成を示す図である。
【図１６】（ａ），（ｂ），（ｃ）はそれぞれ、本発明の第８実施例に係るズームレンズの広角端状態，中間焦点距離状態，望遠端状態における無限遠合焦時の諸収差図を示す図である。
【図１７】本発明の第９実施例に係るズームレンズのレンズ構成を示す図である。
【図１８】（ａ），（ｂ），（ｃ）はそれぞれ、本発明の第９実施例に係るズームレンズの広角端状態，中間焦点距離状態，望遠端状態における無限遠合焦時の諸収差図を示す図である。
【図１９】本発明の第１０実施例に係るズームレンズのレンズ構成を示す図である。
【図２０】（ａ），（ｂ），（ｃ）はそれぞれ、本発明の第１０実施例に係るズームレンズの広角端状態，中間焦点距離状態，望遠端状態における無限遠合焦時の諸収差図を示す図である。
【図２１】本発明の第１１実施例に係るズームレンズのレンズ構成を示す図である。
【図２２】（ａ），（ｂ），（ｃ）はそれぞれ、本発明の第１１実施例に係るズームレンズの広角端状態，中間焦点距離状態，望遠端状態における無限遠合焦時の諸収差図を示す図である。
【符号の説明】
【００６２】
Ｇ１    第１レンズ群
Ｇ２    第２レンズ群
Ｇ３    第３レンズ群
Ｇ４    第４レンズ群
Ｓ      開口絞り
Ｉ      像面
【図１】
0004720117.tif 000002
【図２】
0004720117.tif 000003
【図３】
0004720117.tif 000004
【図４】
0004720117.tif 000005
【図５】
0004720117.tif 000006
【図６】
0004720117.tif 000007
【図７】
0004720117.tif 000008
【図８】
0004720117.tif 000009
【図９】
0004720117.tif 000010
【図１０】
0004720117.tif 000011
【図１１】
0004720117.tif 000012
【図１２】
0004720117.tif 000013
【図１３】
0004720117.tif 000014
【図１４】
0004720117.tif 000015
【図１５】
0004720117.tif 000016
【図１６】
0004720117.tif 000017
【図１７】
0004720117.tif 000018
【図１８】
0004720117.tif 000019
【図１９】
0004720117.tif 000020
【図２０】
0004720117.tif 000021
【図２１】
0004720117.tif 000022
【図２２】
0004720117.tif 000023